【事件の表示】
　特願２００４−３６０６７０「楽曲データ再構成装置、楽曲データ再構成方法、音楽コンテンツ再生装置および音楽コンテンツ再生方法」拒絶査定不服審判事件〔平成１８年　６月２９日出願公開、特開２００６−１７１１３３〕について、次のとおり審決する。
【結　論】
　本件審判の請求は、成り立たない。
【理　由】
第１　手続の経緯
　本願は、平成１６年１２月１４日に出願されたものであって、平成２１年１月６日付け拒絶理由通知に対して平成２１年３月１１日付けで手続補正がなされたが、平成２１年４月１７日付けで拒絶査定がなされ、これに対して平成２１年７月１５日付けに拒絶査定不服審判が請求されるとともに、同日付けで手続補正がなされたものである。
　
　
第２　平成２１年７月１５日付け手続補正についての補正却下の決定
　
〔補正却下の決定の結論〕
　平成２１年７月１５日付け手続補正を却下する。
　
〔理由〕
　
（１）補正後の本願特許請求の範囲
　当該補正は、特許請求の範囲を次のとおりとするものである。
　
【特許請求の範囲】
　【請求項１】
　楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター手段からの前記同期信号と前記楽曲再構成用情報とを受け、入力される音楽コンテンツの楽曲データのテンポ、キー値、コードまたはコード進行の少なくとも１つを、前記リズムマスター手段からの前記楽曲再構成用情報で指定されたものに応じたものとするように前記楽曲データを再構成して、出力楽曲データを生成して出力するリズムスレーブ手段と
、
ユーザ操作入力を受け付けるユーザ操作入力受付手段、前記リズムスレーブ手段から出力された前記出力楽曲データを音響再生する手段および前記音響再生出力を聴取するリスナーの生体情報を取得する生体情報取得手段、または周辺環境情報を取得する周辺環境情報取得手段のいずれかと、
　
を備え、
　
前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　楽曲データ再構成装置。
　　【請求項２】
　楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター手段からの前記同期信号と前記楽曲再構成用情報とを受け、入力される複数の音楽コンテンツの楽曲データのそれぞれのテンポ、キー値、コードまたはコード進行の少なくとも１つを、前記リズムマスター手段からの前記楽曲再構成用情報で指定されたものに応じたものとするように前記複数の楽曲データのそれぞれを再構成し、当該再構成した複数の楽曲データを加算して出力楽曲データを生成して出力するリズムスレーブ手段と
、
　
ユーザ操作入力を受け付けるユーザ操作入力受付手段、前記リズムスレーブ手段から出力された前記出力楽曲データを音響再生する手段および前記音響再生出力を聴取するリスナーの生体情報を取得する生体情報取得手段、または周辺環境情報を取得する周辺環境情報取得手段のいずれかと、
　
を備え、
　
前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　楽曲データ再構成装置。
　　【請求項３】
　請求項１に記載の楽曲データ再構成装置において、
　前記リズムスレーブ手段に前記楽曲データが入力される前記音楽コンテンツと対応付けられて、少なくとも前記音楽コンテンツの楽曲素材単位の楽曲構成情報を含む属性情報を取得する属性情報取得手段を備え、
　前記リズムマスター手段は、前記同期信号を、前記属性情報取得手段により取得された前記属性情報に含まれる前記リズムを示す情報に基づいて発生させるようにする
　楽曲データ再構成装置。
　　【請求項４】
　請求項２に記載の楽曲データ再構成装置において、
　複数個の音楽コンテンツのデータが格納されている音楽コンテンツデータ記憶部から、再生対象の音楽コンテンツのデータを取得する第１の取得手段と、
　前記音楽コンテンツと対応付けられて、少なくとも前記音楽コンテンツの楽曲素材単位の楽曲構成情報を含む属性情報を記憶する属性情報記憶部から前記属性情報を取得する第２の取得手段と、
　を備え、
　前記リズムスレーブ手段は、第２の取得手段により取得した特定の音楽コンテンツの前記属性情報を解析して、前記リズムマスター手段からの前記楽曲再構成用情報に近似する楽曲再構成用情報を有する複数の音楽コンテンツの楽曲データを、前記第１の取得手段を通じて取得し、前記同期信号に基づいて、それらの楽曲データを加算して出力楽曲データを生成して出力する
　楽曲データ再構成装置。
　　【請求項５】
　請求項
４
　前記特定の音楽コンテンツは、ユーザにより選択された音楽コンテンツである
　楽曲データ再構成装置。
　　【請求項６】
　請求項
４
　前記特定の音楽コンテンツは、再生楽曲候補として装置により選択された音楽コンテンツである
　楽曲データ再構成装置。
　　【請求項７】
　請求項１または請求項２に記載の楽曲データ再構成装置において、
　前記リズムマスター手段は、
　設定された発振周波数で発振する発振回路に基づいて前記同期信号を得る第１の同期信号発生手段と、
　収音手段により収音した音声信号または外部入力端子を通じて入力された音声信号を解析することにより前記同期信号を得る第２の同期信号発生手段と、
　音響再生出力を聴取するリスナーの生体情報を取得し、前記取得したリスナーの生体情報に基づいて前記同期信号を得る第３の同期信号発生手段と、
　前記第１の同期信号発生手段、前記第２の同期信号発生手段、第３の同期信号発生手段のうちのいずれかからの同期信号を選択して出力する選択手段と、
　を備える楽曲データ再構成装置。
　　【請求項８】
　請求項
７
　前記選択手段は、ユーザの選択操作入力に基づいて前記同期信号を選択する
　楽曲データ再構成装置。
　　【請求項９】
　請求項
７
　前記リズムスレーブ手段から出力された前記出力楽曲データを音響再生する手段を備えると共に、
　前記選択手段は、前記音響再生出力を聴取するリスナーの生体情報を取得する手段と、
　前記取得したリスナーの生体情報に基づいて、前記選択手段の選択信号を生成する手段とを備える楽曲データ再構成装置。
　　【請求項１０】
　リズムマスター手段とリズムスレーブ手段とを備える
と共に、ユーザ操作入力を受け付けるユーザ操作入力受付手段、出力楽曲データを音響再生する手段および音響再生出力を聴取するリスナーの生体情報を取得する生体情報取得手段、または周辺環境情報を取得する周辺環境情報取得手段のいずれか備える
　前記リズムマスター手段が、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生する第１のステップと、
　前記リズムスレーブ手段が、前記リズムマスター手段からの前記同期信号と前記楽曲再構成用情報とを受け、入力される音楽コンテンツの楽曲データのテンポ、キー値、コードまたはコード進行の少なくとも１つを、前記第１のステップで発生した前記楽曲再構成用情報で指定されたものに応じたものとするように前記楽曲データを再構成して、
前記
、
　
を有すると共に、
　
前記第１のステップでは、前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　楽曲データ再構成方法。
　　【請求項１１】
　リズムマスター手段とリズムスレーブ手段
を備えると共に、ユーザ操作入力を受け付けるユーザ操作入力受付手段、出力楽曲データを音響再生する手段および音響再生出力を聴取するリスナーの生体情報を取得する生体情報取得手段、または周辺環境情報を取得する周辺環境情報取得手段のいずれか備える
　前記リズムマスター手段が、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生する第１のステップと、
　前記リズムスレーブ手段が、前記リズムマスター手段からの前記同期信号と前記楽曲再構成用情報とを受け、入力される複数の音楽コンテンツの楽曲データのそれぞれのテンポ、キー値、コードまたはコード進行の少なくとも１つを、前記リズムマスター手段からの前記楽曲再構成用情報で指定されたものに応じたものとするように前記複数の楽曲データのそれぞれを再構成し、当該再構成した複数の楽曲データを加算して出力楽曲データを生成して出力する第２のステップと
、
　
を有すると共に、
　
前記第１のステップでは、前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　楽曲データ再構成方法。
　　【請求項１２】
　複数個の音楽コンテンツのデータが格納されている音楽コンテンツデータ記憶部と、
　前記音楽コンテンツデータ記憶部から、再生対象の音楽コンテンツのデータを取得する取得手段と、
　楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター部からの前記同期信号と前記楽曲再構成用情報とを受け、前記取得手段により取得した前記再生対象の音楽コンテンツデータのテンポ、キー値、コードまたはコード進行の少なくとも１つを、前記リズムマスター部からの前記楽曲再構成用情報で指定されたものに応じたものとするように前記再生対象の音楽コンテンツデータを再構成して、出力楽曲データを生成して音響再生出力するリズムスレーブ手段と、
　
ユーザ操作入力を受け付けるユーザ操作入力受付手段、前記リズムスレーブ手段から出力された前記出力楽曲データを音響再生する手段および前記音響再生出力を聴取するリスナーの生体情報を取得する生体情報取得手段、または周辺環境情報を取得する周辺環境情報取得手段のいずれかと、
　
を備え、
　
前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　音楽コンテンツ再生装置。
　　【請求項１３】
　複数個の音楽コンテンツのデータが格納されている音楽コンテンツデータ記憶部から、再生対象の音楽コンテンツのデータを取得する第１の取得手段と、
　前記音楽コンテンツと対応付けられて、少なくとも前記音楽コンテンツの楽曲素材単位の楽曲構成情報を含む属性情報を記憶する属性情報記憶部から前記属性情報を取得する第２の取得手段と、
　前記第２の取得手段で取得した前記再生対象の音楽コンテンツの前記属性情報に基づいて、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター手段からの前記同期信号と前記楽曲再構成用情報とを受け、前記第１の取得手段により取得した前記再生対象の音楽コンテンツデータのテンポ、キー値、コードまたはコード進行の少なくとも１つを、前記リズムマスター部からの前記楽曲再構成用情報で指定されたものに応じたものとするように前記再生対象の音楽コンテンツデータを再構成して、出力楽曲データを生成して音響再生出力するリズムスレーブ手段と、
　
ユーザ操作入力を受け付けるユーザ操作入力受付手段、前記リズムスレーブ手段から出力された前記出力楽曲データを音響再生する手段および前記音響再生出力を聴取するリスナーの生体情報を取得する生体情報取得手段、または周辺環境情報を取得する周辺環境情報取得手段のいずれかと、
　
を備え、
　
前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　音楽コンテンツ再生装置。
　　【請求項１４】
　取得手段と、リズムマスター手段と、リズムスレーブ手段とを備える
と共に、ユーザ操作入力を受け付けるユーザ操作入力受付手段、出力楽曲データを音響再生する手段および音響再生出力を聴取するリスナーの生体情報を取得する生体情報取得手段、または周辺環境情報を取得する周辺環境情報取得手段のいずれか備える
　前記取得手段が、複数個の音楽コンテンツのデータが格納されている音楽コンテンツデータ記憶部から、再生対象の音楽コンテンツのデータを取得する取得ステップと、
　前記リズムマスター手段が、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスターステップと、
　前記リズムスレーブ手段が、前記リズムマスター部からの前記同期信号と前記楽曲再構成用情報とを受け、前記取得ステップで取得した前記再生対象の音楽コンテンツデータのテンポ、キー値、コードまたはコード進行の少なくとも１つを、前記リズムマスターステップで生成された前記楽曲再構成用情報で指定されたものに応じたものとするように前記再生対象の音楽コンテンツデータを再構成して、出力楽曲データを生成して音響再生出力するリズムスレーブステップと、
　
を有すると共に、
　
前記第１のステップでは、前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　音楽コンテンツ再生方法。
　　【請求項１５】
　第１の取得手段と、第２の取得手段と、リズムマスター手段と、リズムスレーブ手段とを備える
と共に、ユーザ操作入力を受け付けるユーザ操作入力受付手段、出力楽曲データを音響再生する手段および音響再生出力を聴取するリスナーの生体情報を取得する生体情報取得手段、または周辺環境情報を取得する周辺環境情報取得手段のいずれか備える
　前記第１の取得手段が、複数個の音楽コンテンツのデータが格納されている音楽コンテンツデータ記憶部から、再生対象の音楽コンテンツのデータを取得する第１の取得ステップと、
　前記第２の取得手段が、前記音楽コンテンツと対応付けられて、少なくとも前記音楽コンテンツの楽曲素材単位の楽曲構成情報を含む属性情報を記憶する属性情報記憶部から前記属性情報を取得する第２の取得ステップと、
　前記リズムマスター手段が、前記第２の取得ステップで取得した前記再生対象の音楽コンテンツの前記属性情報に基づいて、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスターステップと、
　前記リズムスレーブ手段が、前記リズムマスター部からの前記同期信号と前記楽曲再構成用情報とを受け、前記第１の取得ステップで取得した前記再生対象の音楽コンテンツデータのテンポ、キー値、コードまたはコード進行の少なくとも１つを、前記リズムマスターステップからの前記楽曲再構成用情報で指定されたものに応じたものとするように前記再生対象の音楽コンテンツデータを再構成して、出力楽曲データを生成して音響再生出力するリズムスレーブステップと、
　
を有すると共に、
　
前記第１のステップでは、前記リズムマスター手段は、前記ユーザ操作入力受付手段で受け付けた前記ユーザ操作入力、前記生体情報取得手段で取得したリスナーの生体情報、または前記周辺環境情報取得手段で取得した周辺環境情報のいずれかに基づいて、前記同期信号および前記楽曲再構成用情報を生成する
　音楽コンテンツ再生方法。
　
（２）当該補正前の特許請求の範囲
　これに対し、当該補正前の特許請求の範囲の記載は、特許請求の範囲を平成２１年３月１１日付けで補正したものであって、その請求項１から２９は以下のとおりである。
　
「　【請求項１】
　楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター手段からの前記同期信号と前記楽曲再構成用情報とを受け、入力される音楽コンテンツの楽曲データのテンポ、キー値、コードまたはコード進行の少なくとも１つを、前記リズムマスター手段からの前記楽曲再構成用情報で指定されたものに応じたものとするように前記楽曲データを再構成して、出力楽曲データを生成して出力するリズムスレーブ手段とからなる
　楽曲データ再構成装置。
　　【請求項２】
　楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター手段からの前記同期信号と前記楽曲再構成用情報とを受け、入力される複数の音楽コンテンツの楽曲データのそれぞれのテンポ、キー値、コードまたはコード進行の少なくとも１つを、前記リズムマスター手段からの前記楽曲再構成用情報で指定されたものに応じたものとするように前記複数の楽曲データのそれぞれを再構成し、当該再構成した複数の楽曲データを加算して出力楽曲データを生成して出力するリズムスレーブ手段とからなる
　楽曲データ再構成装置。
　　【請求項３】
　請求項１または請求項２に記載の楽曲データ再構成装置において、
　前記同期信号は、収音手段により収音した音声信号を解析することにより得る
　楽曲データ再構成装置。
　　【請求項４】
　請求項１または請求項２に記載の楽曲データ再構成装置において、
　前記同期信号は、外部入力端子を通じて入力された音声信号を解析することにより得る
　楽曲データ再構成装置。
　　【請求項５】
　請求項１または請求項２に記載の楽曲データ再構成装置において、
　ユーザ操作入力を受け付けるユーザ操作入力受付手段を備え、
　前記ユーザ操作入力受付手段で受け付けた前記ユーザ操作入力に基づいて、前記リズムマスター手段は、前記同期信号および前記楽曲再構成用情報を生成する
　楽曲データ再構成装置。
　　【請求項６】
　請求項１または請求項２に記載の楽曲データ再構成装置において、
　前記リズムスレーブ手段から出力された前記出力楽曲データを音響再生する手段と、
　前記音響再生出力を聴取するリスナーの生体情報を取得する手段と、
　前記取得したリスナーの生体情報に基づいて、前記リズムマスター手段は、前記同期信号および前記楽曲再構成用情報を生成する
　楽曲データ再構成装置。
　　【請求項７】
　請求項１または請求項２に記載の楽曲データ再構成装置において、
　周辺環境情報を取得する周辺環境情報取得手段を備え、
　前記周辺環境情報取得手段で取得した周辺環境情報に基づいて、前記リズムマスター手段は、前記同期信号および前記楽曲再構成用情報を生成する
　楽曲データ再構成装置。
　　【請求項８】
　請求項１に記載の楽曲データ再構成装置において、
　前記リズムスレーブ手段に前記楽曲データが入力される前記音楽コンテンツと対応付けられて、少なくとも前記音楽コンテンツの楽曲素材単位の楽曲構成情報を含む属性情報を取得する属性情報取得手段を備え、
　前記リズムマスター手段は、前記同期信号を、前記属性情報取得手段により取得された前記属性情報に含まれる前記リズムを示す情報に基づいて発生させるようにする
　楽曲データ再構成装置。
　　【請求項９】
　請求項２に記載の楽曲データ再構成装置において、
　複数個の音楽コンテンツのデータが格納されている音楽コンテンツデータ記憶部から、再生対象の音楽コンテンツのデータを取得する第１の取得手段と、
　前記音楽コンテンツと対応付けられて、少なくとも前記音楽コンテンツの楽曲素材単位の楽曲構成情報を含む属性情報を記憶する属性情報記憶部から前記属性情報を取得する第２の取得手段と、
　を備え、
　前記リズムスレーブ手段は、第２の取得手段により取得した特定の音楽コンテンツの前記属性情報を解析して、前記リズムマスター手段からの前記楽曲再構成用情報に近似する楽曲再構成用情報を有する複数の音楽コンテンツの楽曲データを、前記第１の取得手段を通じて取得し、前記同期信号に基づいて、それらの楽曲データを加算して出力楽曲データを生成して出力する
　楽曲データ再構成装置。
　　【請求項１０】
　請求項９に記載の楽曲データ再構成装置において、
　前記特定の音楽コンテンツは、ユーザにより選択された音楽コンテンツである
　楽曲データ再構成装置。
　　【請求項１１】
　請求項９に記載の楽曲データ再構成装置において、
　前記特定の音楽コンテンツは、再生楽曲候補として装置により選択された音楽コンテンツである
　楽曲データ再構成装置。
　　【請求項１２】
　請求項１または請求項２に記載の楽曲データ再構成装置において、
　前記リズムマスター手段は、
　設定された発振周波数で発振する発振回路に基づいて前記同期信号を得る第１の同期信号発生手段と、
　収音手段により収音した音声信号または外部入力端子を通じて入力された音声信号を解析することにより前記同期信号を得る第２の同期信号発生手段と、
　音響再生出力を聴取するリスナーの生体情報を取得し、前記取得したリスナーの生体情報に基づいて前記同期信号を得る第３の同期信号発生手段と、
　前記第１の同期信号発生手段、前記第２の同期信号発生手段、第３の同期信号発生手段のうちのいずれかからの同期信号を選択して出力する選択手段と、
　を備える楽曲データ再構成装置。
　　【請求項１３】
　請求項１２に記載の楽曲データ再構成装置において、
　前記選択手段は、ユーザの選択操作入力に基づいて前記同期信号を選択する
　楽曲データ再構成装置。
　　【請求項１４】
　請求項１２に記載の楽曲データ再構成装置において、
　前記リズムスレーブ手段から出力された前記出力楽曲データを音響再生する手段を備えると共に、
　前記選択手段は、前記音響再生出力を聴取するリスナーの生体情報を取得する手段と、
　前記取得したリスナーの生体情報に基づいて、前記選択手段の選択信号を生成する手段とを備える楽曲データ再構成装置。
　　【請求項１５】
　リズムマスター手段とリズムスレーブ手段とを備える楽曲データ再構成装置における楽曲データ再構成方法であって、
　前記リズムマスター手段が、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生する第１のステップと、
　前記リズムスレーブ手段が、前記リズムマスター手段からの前記同期信号と前記楽曲再構成用情報とを受け、入力される音楽コンテンツの楽曲データのテンポ、キー値、コードまたはコード進行の少なくとも１つを、前記第１のステップで発生した前記楽曲再構成用情報で指定されたものに応じたものとするように前記楽曲データを再構成して、出力楽曲データを生成して出力する第２のステップとからなる
　楽曲データ再構成方法。
　　【請求項１６】
　リズムマスター手段とリズムスレーブ手段とからなる楽曲データ再構成装置における楽曲データ再構成方法であって、
　前記リズムマスター手段が、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生する第１のステップと、
　前記リズムスレーブ手段が、前記リズムマスター手段からの前記同期信号と前記楽曲再構成用情報とを受け、入力される複数の音楽コンテンツの楽曲データのそれぞれのテンポ、キー値、コードまたはコード進行の少なくとも１つを、前記リズムマスター手段からの前記楽曲再構成用情報で指定されたものに応じたものとするように前記複数の楽曲データのそれぞれを再構成し、当該再構成した複数の楽曲データを加算して出力楽曲データを生成して出力する第２のステップとからなる
　楽曲データ再構成方法。
　　【請求項１７】
　複数個の音楽コンテンツのデータが格納されている音楽コンテンツデータ記憶部と、
　前記音楽コンテンツデータ記憶部から、再生対象の音楽コンテンツのデータを取得する取得手段と、
　楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター部からの前記同期信号と前記楽曲再構成用情報とを受け、前記取得手段により取得した前記再生対象の音楽コンテンツデータのテンポ、キー値、コードまたはコード進行の少なくとも１つを、前記リズムマスター部からの前記楽曲再構成用情報で指定されたものに応じたものとするように前記再生対象の音楽コンテンツデータを再構成して、出力楽曲データを生成して音響再生出力するリズムスレーブ手段と、
　を備える音楽コンテンツ再生装置。
　　【請求項１８】
　請求項１７に記載の音楽コンテンツ再生装置において、
　周囲の音声を収音する収音手段と、
　前記収音手段で収音した音声信号を解析する解析手段と、
　を備え、前記リズムマスター手段は、
　前記解析手段の解析結果から、前記収音手段で収音した音声の曲調に応じた前記同期信号および前記楽曲再構成用情報を発生させる
　音楽コンテンツ再生装置。
　　【請求項１９】
　請求項１７に記載の音楽コンテンツ再生装置において、
　他の装置から音楽コンテンツの楽曲データを入力するための外部入力端子と、
　前記外部入力端子を通じて入力された前記楽曲データによる前記音楽コンテンツの曲調を解析する曲調解析手段と、
　前記曲調解析手段の解析結果から、前記外部入力端子を通じて入力された前記音楽コンテンツの曲調に応じた前記同期信号および前記楽曲再構成用情報を発生させる
　音楽コンテンツ再生装置。
　　【請求項２０】
　請求項１７に記載の音楽コンテンツ再生装置において、
　前記音響再生出力を聴取するリスナーの生体情報を取得する手段と、
　前記リズムマスター手段は、前記取得したリスナーの生体情報に基づいて、前記同期信号および前記楽曲再構成用情報を生成する
　音楽コンテンツ再生装置。
　　【請求項２１】
　請求項１７に記載の音楽コンテンツ再生装置において、
　周辺環境情報を取得する周辺環境情報取得手段を備え、
　前記リズムマスター手段は、前記周辺環境情報取得手段で取得した周辺環境情報に基づいて、前記同期信号および前記楽曲再構成用情報を生成する
　音楽コンテンツ再生装置。
　　【請求項２２】
　請求項１７に記載の音楽コンテンツ再生装置において、
　ユーザ操作入力を受け付けるユーザ操作入力受付手段を備え、
　前記ユーザ操作入力受付手段で受け付けた前記ユーザ操作入力に基づいて、前記リズムマスター手段は、前記同期信号および前記楽曲再構成用情報を生成する
　音楽コンテンツ再生装置。
　　【請求項２３】
　複数個の音楽コンテンツのデータが格納されている音楽コンテンツデータ記憶部から、再生対象の音楽コンテンツのデータを取得する第１の取得手段と、
　前記音楽コンテンツと対応付けられて、少なくとも前記音楽コンテンツの楽曲素材単位の楽曲構成情報を含む属性情報を記憶する属性情報記憶部から前記属性情報を取得する第２の取得手段と、
　前記第２の取得手段で取得した前記再生対象の音楽コンテンツの前記属性情報に基づいて、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター手段からの前記同期信号と前記楽曲再構成用情報とを受け、前記第１の取得手段により取得した前記再生対象の音楽コンテンツデータのテンポ、キー値、コードまたはコード進行の少なくとも１つを、前記リズムマスター部からの前記楽曲再構成用情報で指定されたものに応じたものとするように前記再生対象の音楽コンテンツデータを再構成して、出力楽曲データを生成して音響再生出力するリズムスレーブ手段と、
　を備える音楽コンテンツ再生装置。
　　【請求項２４】
　請求項２３に記載の音楽コンテンツ再生装置において、
　前記音響再生出力を聴取するリスナーの生体情報を取得する手段と、
　前記リズムマスター手段は、前記属性情報に加えて前記取得したリスナーの生体情報に基づいて、前記同期信号および前記楽曲再構成用情報を生成する
　音楽コンテンツ再生装置。
　　【請求項２５】
　請求項２３に記載の音楽コンテンツ再生装置において、
　周辺環境情報を取得する周辺環境情報取得手段を備え、
　前記リズムマスター手段は、前記属性情報に加えて前記周辺環境情報取得手段で取得した周辺環境情報に基づいて、前記同期信号および前記楽曲再構成用情報を生成する
　音楽コンテンツ再生装置。
　　【請求項２６】
　請求項２３に記載の音楽コンテンツ再生装置において、
　ユーザ操作入力を受け付けるユーザ操作入力受付手段を備え、
　前記リズムマスター手段は、前記属性情報に加えて前記ユーザ操作入力受付手段で受け付けた前記ユーザ操作入力に基づいて、前記同期信号および前記楽曲再構成用情報を生成する
　音楽コンテンツ再生装置。
　　【請求項２７】
　請求項２３に記載の音楽コンテンツ再生装置において、
　音楽コンテンツの過去の再生履歴が保持されている再生履歴情報保持部と、
　前記再生履歴情報保持部の再生履歴を参照して、再生頻度の高い音楽コンテンツを検出する検出手段と、
　を備え、
　前記検出手段で検出した前記再生頻度の高い音楽コンテンツの属性情報を、前記第２の取得手段を通じて前記属性情報記憶部から取得し、
　前記リズムマスター部は、前記取得した前記属性情報に基づいて、前記同期信号および前記楽曲再構成用情報を生成する
　音楽コンテンツ再生装置。
　　【請求項２８】
　取得手段と、リズムマスター手段と、リズムスレーブ手段とを備える音楽コンテンツ再生装置における音楽コンテンツ再生方法であって、
　前記取得手段が、複数個の音楽コンテンツのデータが格納されている音楽コンテンツデータ記憶部から、再生対象の音楽コンテンツのデータを取得する取得ステップと、
　前記リズムマスター手段が、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスターステップと、
　前記リズムスレーブ手段が、前記リズムマスター部からの前記同期信号と前記楽曲再構成用情報とを受け、前記取得ステップで取得した前記再生対象の音楽コンテンツデータのテンポ、キー値、コードまたはコード進行の少なくとも１つを、前記リズムマスターステップで生成された前記楽曲再構成用情報で指定されたものに応じたものとするように前記再生対象の音楽コンテンツデータを再構成して、出力楽曲データを生成して音響再生出力するリズムスレーブステップと、
　を備える音楽コンテンツ再生方法。
　　【請求項２９】
　第１の取得手段と、第２の取得手段と、リズムマスター手段と、リズムスレーブ手段と
を備える音楽コンテンツ再生装置における音楽コンテンツ再生方法であって、
　前記第１の取得手段が、複数個の音楽コンテンツのデータが格納されている音楽コンテンツデータ記憶部から、再生対象の音楽コンテンツのデータを取得する第１の取得ステップと、
　前記第２の取得手段が、前記音楽コンテンツと対応付けられて、少なくとも前記音楽コンテンツの楽曲素材単位の楽曲構成情報を含む属性情報を記憶する属性情報記憶部から前記属性情報を取得する第２の取得ステップと、
　前記リズムマスター手段が、前記第２の取得ステップで取得した前記再生対象の音楽コンテンツの前記属性情報に基づいて、楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスターステップと、
　前記リズムスレーブ手段が、前記リズムマスター部からの前記同期信号と前記楽曲再構成用情報とを受け、前記第１の取得ステップで取得した前記再生対象の音楽コンテンツデータのテンポ、キー値、コードまたはコード進行の少なくとも１つを、前記リズムマスターステップからの前記楽曲再構成用情報で指定されたものに応じたものとするように前記再生対象の音楽コンテンツデータを再構成して、出力楽曲データを生成して音響再生出力するリズムスレーブステップと、
　を備える音楽コンテンツ再生方法。
　
（３）当該補正の適否
　
　当該特許請求の範囲についてする補正が特許法第１７条の２第４項（平成１８年法律第５５号改正附則第３条第１項によりなお従前の例によるとされる同法による改正前の特許法第１７条の２第４項）各号の事項に適合するものであるかの検討をする。
（以下、平成１８年法律第５５号改正附則第３条第１項によりなお従前の例によるとされる同法による改正前の特許法を、単に平成１８年改正前特許法と記す。）
　
　
　審判請求人は、審判請求書において、当該補正の内容および本願発明の特徴について、次のように主張している。
　
「【この出願の発明が特許されるべき理由】 
 （１）この出願の発明の説明 
 　出願人は、この審判請求書と同時に提出する手続補正書により、特許請求の範囲を補正した。 
 　補正後の特許請求の範囲は、請求項１〜請求項１５からなるものであるが、そのうちの独立形式の請求項は、請求項１、請求項２、請求項１０、請求項１１、請求項１２、請求項１３、請求項１４および請求項１５である。これら補正後の独立形式の請求項は、
 　　　　　（中略）
　補正後の請求項１，２は、補正前の請求項１，２に従属する請求項５，６，７の発明の構成を択一的に備える楽曲データ再構成装置の発明である。したがって、補正後の請求項１，２は、補正前の請求項５，６，７の発明に基づく発明であって、特許法第１７条の２第４項の規定を満たすものであると確信する。 
 　また、補正後の請求項１０，１１は、補正後の請求項１，２（物のカテゴリ）に対応する楽曲データ再構成方法（方法のカテゴリ）であって、補正前の請求項１５，１６を補正したものである。すなわち、補正前の請求項１５，１６のプリアンブル中の「楽曲データ再構成装置」の構成を減縮すると共に、補正前の請求項１５，１６における「第１のステップ」の構成をさらに、減縮したものである。したがって、この補正前の請求項１５，１６についての補正は、特許法第１７条の２第４項第２号の規定を満たすものであると確信する。 
 　補正後の請求項１２は、補正前の請求項１７に従属する請求項２０，２１，２２の発明の構成を択一的に備える音楽コンテンツ再生装置の発明である。したがって、補正後の請求項１２は、補正前の請求項２０，２１，２２の発明に基づく発明であって、特許法第１７条の２第４項の規定を満たすものであると確信する。 
 　また、請求項１３の発明は、補正前の請求項２３に従属する請求項２４，２５，２６の発明の構成を択一的に備える音楽コンテンツ再生装置の発明である。したがって、補正後の請求項１３は、補正前の請求項２４，２５，２６の発明に基づく発明であって、特許法第１７条の２第４項の規定を満たすものであると確信する。 
 　また、補正後の請求項１４，１５は、補正後の請求項１２，１３に対応する音楽コンテンツ再生方法であって、補正前の請求項２８，２９を補正したものである。すなわち、補正前の請求項２８，２９のプリアンブル中の「音楽コンテンツ再生装置」の構成を減縮すると共に、補正前の請求項２８，２９における「第１のステップ」の構成をさらに、減縮したものである。したがって、この補正前の請求項２８，２９についての補正は、特許法第１７条の２第４項第２号の規定を満たすものであると確信する。 
 　なお、補正後の請求項３〜９は、補正後の請求項１，２の双方またはいずれかに従属する発明である。」
　
　当該補正の全てが、誤記の訂正、明りょうでない記載の釈明の何れの要件をも目的とするものではないことは明らかである。
　
　そして、当該補正により補正された請求項１、２、１０〜１５は、補正前の何れの請求項とも異なることから、当該補正は請求項の削除を目的としたものではない。
　
　また、当該請求項１、２、１０〜１５についての補正は、「ユーザ操作入力受付手段」、「生体情報取得手段」、「周辺環境情報取得手段」を設け、これを用いた処理を更に加えるものであるから、発明を減縮するものではあるが、これは外的付加であって、特許請求の範囲を限定的に減縮するものではない。
　
　してみれば、当該請求項１、２、１０〜１５についての補正は、新たな機能を外的に付加することにより新規の異なる概念の発明を創出したものであるから、本件補正は、平成１８年改正前特許法第１７条の２第４項各号に規定する次の、
　一　第３６条第５項に規定する請求項の削減
　二　特許請求の範囲の減縮
（第３６条第５項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）
　三　誤記の訂正
　四　明りょうでない記載の釈明（拒絶理由通知に係る拒絶の理由に示す事項についてするものに限る。）
　の何れの要件をも目的とするものではない。
　
　したがって、当該補正は平成１８年改正前特許法第１７条の２第４項の規定に違反するものである。
　よって、本件補正は、特許法第１５９条第１項の規定において読み替えて準用する同法第５３条第１項の規定により却下すべきものである。
　
　
　なお、付記するに、請求項３〜９については、表現上は何ら変更はされてはいないものの、これら請求項が引用する請求項１、２が変更されていることから、当該補正は請求項３〜９についての内容を変更する補正である。
　以下において、請求項３〜９についての補正が適法なものであるかについても検討する。
　
　補正された請求項３〜９は補正された新たな請求項１、２を引用するものであるから、「ユーザ操作入力受付手段」、「生体情報取得手段」、「周辺環境情報取得手段」という構成要件を備えるものである。
　
　一方、補正された請求項３〜９に対応する補正前の請求項８〜１４は、補正前の請求項１、２を引用するものであるから、上記構成要件を備えていないことは明らかである。
　上記構成要件の内容は、補正前の請求項５〜７に存在するが、これは補正前の請求項１、２を引用するものであって、補正前の請求項８〜１４を引用するものではない。
　
　したがって、当該請求項３〜９についての補正は、請求項の削除を目的とするものではない。
　
　また、当該請求項３〜９についての補正は、「ユーザ操作入力受付手段」、「生体情報取得手段」、「周辺環境情報取得手段」を設け、これを用いた処理を更に加えるものであるから、発明を減縮するものではあるが、これは外的付加であって、特許請求の範囲を限定的に減縮するものではない。
　
　そして、当該請求項３〜９についての補正が、誤記の訂正、あるいは、明りょうでない記載の釈明を目的としたものでないことは先に述べたとおりである。
　
　してみれば、当該請求項３〜９についての補正も、新たな機能を外的に付加することにより新規の異なる概念の発明を創出したものであるから、本件補正は、平成１８年改正前特許法第１７条の２第４項各号に規定する何れの要件をも目的とするものではない。　
　
第３　本願発明について
　
１．本願発明の認定
　
　平成２１年７月１５日付けの手続補正は、上記のとおり却下されたので、本願の請求項に係る発明は、平成２１年３月１１日付けの手続補正書により補正された特許請求の範囲の請求項１から２９までに記載した事項（前掲）により特定されるとおりのものと認められる。
　そのうち、請求項１に係る発明は以下のとおりである。（再掲）
　
　【請求項１】
　楽曲の小節に対応する周期の信号と楽曲の拍に対応する周期の信号とを含む同期信号を発生すると共に、テンポを示すための情報、キーを示す情報、コードまたはコード進行を示す情報のうちの少なくとも１つを含む楽曲再構成用情報を前記同期信号に同期して発生するリズムマスター手段と、
　前記リズムマスター手段からの前記同期信号と前記楽曲再構成用情報とを受け、入力される音楽コンテンツの楽曲データのテンポ、キー値、コードまたはコード進行の少なくとも１つを、前記リズムマスター手段からの前記楽曲再構成用情報で指定されたものに応じたものとするように前記楽曲データを再構成して、出力楽曲データを生成して出力するリズムスレーブ手段とからなる
　楽曲データ再構成装置。
　（以下、これを本願発明とする。）
　
２．引用刊行物
　
　原査定の拒絶理由に引用された刊行物１（特開平８−１１５０８４号公報）には、以下の（ア）〜（キ）の事項が図面とともに記載されている。
　
（ア）「【特許請求の範囲】
【請求項１】  複数曲の演奏データを記憶する記憶手段と、
前記記憶手段に記憶された複数曲の演奏データから、第１の曲の演奏データの読み出しと第２の曲の演奏データの読み出しとを同時に行う読み出し手段と、
前記読み出し手段によって読み出された第１の曲と第２の曲との演奏データの演奏レベルを制御する演奏レベル制御手段であって、前記第１の曲の演奏データの演奏レベルを次第に減少させると同時に、前記第２の曲の演奏データの演奏レベルを次第に増加させる演奏レベル制御手段とを有することを特徴とする自動演奏装置。
【請求項２】  複数曲の演奏データを記憶する記憶手段と、
前記記憶手段に記憶された複数曲の演奏データから、第１の曲の演奏データの読み出しと第２の曲の演奏データの読み出しとを同時または順次行う読み出し手段と、
前記読み出し手段によって読み出される第２の曲のテンポを、前記読み出し手段によって読み出される第１の曲のテンポに一致させるテンポ制御手段とを有することを特徴とする自動演奏装置。
【請求項３】  複数曲の演奏データを記憶する記憶手段と、
前記記憶手段に記憶された複数曲の演奏データから、第１の曲の演奏データの読み出しと第２の曲の演奏データの読み出しとを同時または順次行う読み出し手段と、
前記読み出し手段によって読み出される第２の曲の調を、前記読み出し手段によって読み出される第１の曲の調に一致させる調制御手段とを有することを特徴とする自動演奏装置。」
　
（イ）「【０００５】本発明は、従来の技術の有するこのような種々の問題点に鑑みてなされたものであり、その目的とするところは、複数曲を演奏する際に、これら複数の曲を滑らかに接続して演奏することができるようにした自動演奏装置を提供することを目的とする。」
　
（ウ）「【００１３】
【実施例】以下、図面に基づいて、本発明による自動演奏装置の実施例を詳細に説明する。なお、以下の説明においては、理解を容易にするために、本発明による自動演奏装置はＭＩＤＩデータを扱い、１拍を１２０に分割した内部クロックに基づいて自動演奏を行うものとする。」
　
（エ）「【００１７】この自動演奏装置は、その全体の動作の制御を中央処理装置（ＣＰＵ）１０を用いて制御するように構成されている。このＣＰＵ１０には、バス１２を介して、上記メイン・ルーチンや１ｍｓ割り込み処理ルーチンを実行するための所定のプログラムなどが格納されたＲＯＭ１４と、フロッピー・ディスクから入力された自動演奏のための演奏データを記憶する領域や後述するようなＣＰＵ１０によるプログラムの実行に必要な各種システム変数を記憶するレジスタ群などが設定されたワーキング・エリアとしてのランダム・アクセス・メモリ（ＲＡＭ）１６と、後述する本発明の実施に関連する各種操作子ならびに各種操作子の設定状態などを表示する各種表示装置を備えた操作パネル部１８と、外部装置としての音源３０などへＭＩＤＩ出力端子２０を介してＭＩＤＩ規格に基づく演奏データを出力するＭＩＤＩ出力装置２２と、自動演奏のための演奏データを記憶したフロッピー・ディスクから演奏データを読み出すためのフロッピー・ディスク装置２４の制御を行うためのフロッピー・ディスク制御装置２６とが接続されている。
【００１８】図２（ａ）には、本自動演奏装置で扱う演奏データのデータ・フォーマットが示されているが、ここに示すデータ・フォーマットは、本発明の理解を容易にするために、本発明の実施に関連するイベントのみをフォーマット化したものであり、イベントとしては、発音情報と、テンポ情報と、キー（調）情報とが設定されている。そして、各イベントは、次のイベントが発生するまでの時間情報を、ステップ・タイムとして持っている。」
　
（オ）「【００３５】また、２曲目キー合わせモード・オン／オフ・スイッチ５２がオンのときは、２曲目の演奏は、２曲目本来のオリジナルのキー（調）から１曲目のキー（調）に移調されて行われる。なお、本実施例に説明においては、理解を容易にするために、調の主音に関する移調のみを取り扱い、長調からと短調へ、あるいは短調から長調への移調は取り扱わないこととする。
【００３６】一方、２曲目キー合わせモード・オン／オフ・スイッチ５２がオフのときは、上記したような移調は行われない。
【００３７】また、２曲目テンポ合わせモード・オン／オフ・スイッチ５４がオンのときは、２曲目の演奏は、２曲目本来のオリジナルのテンポではなくて、１曲目のテンポにより行われる。」
　
　これら（ア）〜（オ）の記載及び図面の内容を総合すれば、刊行物１には、次の（カ）なる発明が記載されていると認められる。
　以下、これを「引用発明」と記す。
　
［引用発明］
（カ）１曲目の演奏データと２曲目の演奏データを読み出して滑らかに接続して演奏する中央制御装置を備えた自動演奏装置において、１拍を１２０に分割した内部クロックに基づいて自動演奏を行い、１曲目と２曲目のテンポ情報、調情報を設定して、２曲目のテンポを１曲目のテンポに一致させる、または２曲目の調を１曲目の調に一致させる制御手段を有する自動演奏装置。
　
３．対比
　
　本願発明と引用発明（カ）とを対比する。
　
　引用発明における「演奏データ」、「テンポ情報」、「調情報」は本願発明の「楽曲データ」、「テンポを示すための情報」、「キーを示す情報」に相当する。
　
　引用発明の「１拍を１２０に分割した内部クロック」は、１２０回の内部クロックが１拍に相当し、１２０回毎に発生するタイミングで得られる内部クロックが拍に対応する信号となることが自明であって、且つ、小節は拍の所定倍数の長さを有するものであって、１２０の所定倍数のタイミングで得られる内部クロックが小節に対応する信号となることは当業者に明らかな事項である。
　よって、引用発明の「１拍を１２０に分割した内部クロック」は、本願発明の「楽曲の小節に対応する周期の信号と楽曲の拍に対応する周期の信号を含む同期信号」と技術的に等価である。
　
　引用発明の「１曲目と２曲目のテンポ情報、調情報を設定し」について、引用発明は当該設定されたテンポ情報、調情報に基づいて「２曲目のテンポを１曲目のテンポに一致させる」または「２曲目の調を１曲目の調に一致させる制御を行っているが、この制御を行う際には１曲目のテンポ情報、調情報が２曲目の演奏データを再構成するための情報として当然利用されていることから、引用発明の「１曲目と２曲目のテンポ情報、調情報を設定」することは本願発明の「テンポを示すための情報、キーを示す情報のうち少なくとも１つを含む楽曲再構成用情報を発生」することに相当する。
　
　引用発明における「２曲目の演奏データ」には、オリジナルのテンポまたは調で演奏されるもののとオリジナルとは異なるテンポ、調で演奏されるものの２種類が存在しており、オリジナルのテンポ、調で演奏される「２曲目の演奏データ」、オリジナルと異なるテンポ、調で演奏される「２曲目の演奏データ」は、それぞれ本願発明の「入力される音楽コンテンツの楽曲データ」、「出力楽曲データ」に相当する。
　そして、後者のオリジナルと異なるテンポ、調で演奏される「２曲目の演奏データ」は、１曲目のテンポ情報、調情報、即ち、演奏データを再構成するための情報に従ってテンポ、調を変化させることから、引用発明は本願発明の構成の如く
「入力される音楽コンテンツの楽曲データのテンポ、キー値を、前記楽曲再構成用情報で指定されたものに応じたものとするように前記楽曲データを再構成して、出力楽曲データを生成して出力」しているといえる。
　
　引用発明の「自動演奏装置」は、２曲目の演奏データを読み出して２曲目のテンポ、調を変化させて演奏を行う装置であって、テンポを変化させることは演奏データを再構成することに他ならないので、本願発明の「楽曲データ再構成装置」に相当する。
　
　したがって、引用発明における構成要素を本願発明において用いられる用語に置き換えれば、本願発明と引用発明は以下の点で一致、あるいは相違する。
　
　［一致点］
　楽曲の小節に対応する周期の信号と楽曲の拍に対応する周期の信号とを含む同期信号を発生すると共に、テンポを示すための情報、キーを示す情報の少なくとも１つを含む楽曲再構成用情報を発生し、
　入力される音楽コンテンツの楽曲データのテンポを、前記楽曲再構成用情報で指定されたものに応じたものとするように前記楽曲データを再構成して、出力楽曲データを生成して出力する
　楽曲データ再構成装置。
　
　［相違点］
（キ）具体的な楽曲再構成用情報について、本願発明はテンポを示すための情報、キーを示すための情報以外に、コードまたはコード信号を示す情報も含むのに対し、引用発明ではコードまたはコード信号を示す情報について言及がない点。
　
（ク）楽曲再構成用情報が発生するタイミングについて、本願発明は同期信号に同期して発生するのに対し、引用発明では特に言及がない点。　
　
（ケ）楽曲データ再構成装置を構成する手段として、本願発明が同期信号及び楽曲再構成用情報を発生するリズムマスター手段とリズムスレーブ手段の２つの手段を備え、同期信号及び楽曲再構成用情報の発生させる動作をリズムマスター手段に割り当て、同期信号と楽曲再構成用情報を受けて楽曲データを再構成して出力楽曲データを生成して出力する動作をリズムスレーブに割り当てているのに対し、引用発明では装置全体の動作制御を中央制御手段が行っている点。　
　
４．相違点の判断
　
　相違点（キ）について検討する。
　
　楽曲の演奏装置において、演奏される曲のコードまたはコード進行を変化させて演奏を行うことは、ごく普通に行われることであって、引用発明において２曲目を演奏する際の楽曲再構成用情報に、曲のコードまたはコード進行に関する情報を含めることは、当業者にとって想到困難な事項ではない。
　
　相違点（ク）について検討する。
　
　一般に同期信号に基づいて動作制御が行われる装置の技術分野において、所定の動作を装置全体の制御を行う同期信号に基づいて行うことは当業者の技術常識であって、本願発明の如く楽曲再構成用情報を発生させる動作を同期信号に基づいて行うことは当業者の常套手段である。
　
　相違点（ケ）について検討する。
　
　一般に装置の中央制御手段が制御する機能を複数の手段にそれぞれ割り当てて動作させることは、一般に行われていることであり、引用発明における中央制御装置が担う各種動作機能をリズムマスター手段とリズムスレーブ手段を設けてそれぞれに割り当てて本願発明の構成とすることは、当業者が具体的な装置を構成する上での設計的事項にすぎない。
　
５．むすび
　以上のとおり、本願発明は、刊行物１に記載された発明に基づいて、当業者が容易に発明をすることができたものであるから、特許法第２９条第２項の規定により特許を受けることができない。
　
第４　まとめ
　
　以上のとおり、本願発明は、刊行物１に記載された発明に基づいて、当業者が容易に発明をすることができたことにより、特許法第２９条第２項の規定によって特許を受けることができないものであるから、本願は拒絶すべきものである。
　したがって、原査定を取り消す。本願は特許すべきものであるとの審決を求める、という本願審判請求の趣旨は認められない。
　
  よって、結論のとおり、審決する。